(57)【要約】【課題】車両盗難の状況に適応した対処を実行すること。【解決手段】ピッキングセンサ１１、ガラス割れセンサ１２、ドアロックセンサ１３、ドアセンサ１４、ハンドルポストカバーセンサ１５、キーシリンダーセンサ１６、シートセンサ１７、速度センサ１８、電子制御燃料噴射装置２１、シフト機構２２およびサイドブレーキ機構２３の出力に基づいて、盗難状況判定部２が盗難の手口や進行状況を判定し、監視動作選択部３が記憶部５に記憶された監視・処置テーブル５ａを参照して監視手段の動作状態および電源状態を遷移制御する。さらに、処置選択部４は、監視・処置テーブル５ａを参照して電子制御燃料噴射装置２１、シフト機構２２、サイドブレーキ機構２３、ドアロック機構３４、電源管理装置３５、ハンドルロック機構３６、メインブレーキ機構３７およびシートロック機構３８の動作制御を実行する。【選択図】        図１
2006256361.tif 000002
【特許請求の範囲】
【請求項１】
車両に対する盗難行為を抑止する車両盗難抑止装置であって、
車両に対して実施された盗難行為を検知する検知手段と、
前記検知手段による検知結果をもとに、前記盗難行為の手口および当該盗難行為の進行状態を判定する判定手段と、
前記判定手段による判定結果に基づいて、次の盗難行為を検知するための前記検知手段の監視状態を制御および／または前記次の盗難行為を抑止する抑止処置手段の動作状態を制御する制御手段と、
を備えたことを特徴とする車両盗難抑止装置。
【請求項２】
前記検知手段は、ドアの不正開錠行為を検知する不正開錠検知手段を含み、前記判定手段は前記不正開錠検知手段が不正開錠行為を検知した場合に車両への侵入準備が行われていると判定し、前記制御手段は当該判定結果に基づいてドアの多重施錠、ドア近傍の撮影、盗難行為者の車内への侵入を検知する侵入検知手段の起動のうち、少なくともいずれか一つを実行することを特徴とする請求項１に記載の車両盗難抑止装置。
【請求項３】
前記不正開錠検知手段は、ピッキングによる不正開錠を検知することを特徴とする請求項２に記載の車両盗難抑止装置。
【請求項４】
前記不正開錠検知手段は、ガラスの破壊による不正開錠を検知することを特徴とする請求項２または３に記載の車両盗難抑止装置。
【請求項５】
前記制御手段は、前記侵入検知手段が盗難行為者の車内への侵入を検知した場合に、当該盗難行為者による走行準備を検知する走行準備検知手段、および／または走行準備を抑止する走行準備抑止手段を起動することを特徴とする請求項２，３または４に記載の車両盗難抑止装置。
【請求項６】
前記走行準備検知手段は、ハンドルポストカバーの開放行為を検知するハンドルポストカバーセンサおよび／または前記盗難行為者の運転席への着座を検知するシートセンサを含むことを特徴とする請求項５に記載の車両盗難抑止装置。
【請求項７】
前記走行準備抑止手段は、車載装置に対する電源供給を抑制する電源供給抑制手段、エンジンの始動を禁止するエンジン始動禁止手段、シフト操作を抑止するシフト操作抑止手段、前記盗難行為者の運転席への着座を抑止するシートロック手段、サイドブレーキの解除を抑止するサイドブレーキロック手段、車両の走行を抑止する走行抑止手段のうち、少なくともいずれか一つを含むことを特徴とする請求項５または６に記載の車両盗難抑止装置。
【請求項８】
前記シフト操作抑止手段は、メインブレーキが操作中である場合に選択的にシフト操作を受け付けるシフト機構に対し、メインブレーキの操作が行われていないことを示す信号を仮想的に入力して前記シフト機構によるシフト操作の受け付けを阻害することを特徴とする請求項７に記載の車両盗難抑止装置。
【請求項９】
前記走行抑止手段は、ハンドル操作を禁止するハンドルロック手段もしくはエンジンの動作を禁止するエンジン動作禁止手段のいずれかを少なくとも含むことを特徴とする請求項７または８に記載の車両盗難抑止装置。
【請求項１０】
前記判定手段による判定結果に基づいて、所定の通知先に通知処理を実行する通知手段をさらに備えたことを特徴とする請求項１〜９のいずれか一つに記載の車両盗難抑止装置。
【請求項１１】
前記判定手段による判定結果に基づいて、盗難行為者に対する警告処理を実行する警告手段をさらに備えたことを特徴とする請求項１〜１０のいずれか一つに記載の車両盗難抑止装置。
【請求項１２】
盗難行為があったときの車両の位置、前記盗難行為の手口、盗難行為を抑止する抑止処置手段の動作状態を記憶する記憶手段と、
前記記憶手段の記憶内容に基づいて当該車両の位置と盗難行為の手口とを車両外部に送信する送信手段と、さらに備えたことを特徴とする請求項１〜１１のいずれか一つに記載の車両盗難抑止装置。
【請求項１３】
車両に対する盗難行為を抑止する車両盗難抑止装置であって、
ハンドルポストカバーの開放行為を検知するハンドルポストカバーセンサと、
前記ハンドルポストカバーセンサがハンドルポストカバーの開放行為を検知した場合に、前記車両の盗難行為を抑止する抑止処置手段と、
を備えたことを特徴とする車両盗難抑止装置。
【請求項１４】
前記抑止処置手段は、車載装置に対する電源供給を抑制する電源供給抑制手段を含むことを特徴とする請求項１３に記載の車両盗難抑止装置。
【請求項１５】
前記抑止処置手段は、エンジンの動作を抑制するエンジン動作抑制手段を含むことを特徴とする請求項１３または１４に記載の車両盗難抑止装置。
【請求項１６】
前記抑止処置手段は、サイドブレーキの解除を抑止するサイドブレーキロック手段を含むことを特徴とする請求項１３，１４または１５に記載の車両盗難抑止装置。
【請求項１７】
前記抑止処置手段は、メインブレーキを駆動して車両の走行を阻害するメインブレーキロック手段を含むことを特徴とする請求項１３〜１６のいずれか一つに記載の車両盗難抑止装置。
【請求項１８】
前記抑止処置手段は、シフト操作を抑止するシフト操作抑止手段を含むことを特徴とする請求項１３〜１７のいずれか一つに記載の車両盗難抑止装置。
【請求項１９】
前記抑止処置手段は、ハンドル操作を禁止するハンドルロック手段を含むことを特徴とする請求項１３〜１８のいずれか一つに記載の車両盗難抑止装置。
【発明の詳細な説明】
【技術分野】
【０００１】
この発明は、車両に対する盗難行為を抑止する車両盗難抑止装置に関し、特に盗難行為の状況に適応した対処を実行する車両盗難抑止装置に関する。
【背景技術】
【０００２】
従来、車両からの物品盗難や車両自体の盗難を検出すべく、運転者などのユーザが車両から離れている状態で車両およびその周辺を監視し、盗難行為の発生を検出・防止する技術が考案されている。
【０００３】
たとえば、特許文献１は、盗難検出時にイモビライザを用いてエンジンをロックし、車両の盗難を防止する技術を開示している。また、特許文献２に開示された盗難防止装置は、物体の車体への接近を検出した場合に周辺状態の撮影を開始し、不正行為が発生した段階で撮影した画像を送信する技術を開示している。
【０００４】
さらに、特許文献３は、イグニッションキーなどのジャンクションボックスに組み込んだ防盗警戒部材の接続状態が変化した場合に盗難行為が働かれたものとみなして警報を発する車両用盗難防止装置を開示している。
【０００５】
【特許文献１】特開２００２−２５７０１３号公報
【特許文献２】特開２００３−１５７４８３号公報
【特許文献３】特開２０００−１４２３２３号公報
【発明の開示】
【発明が解決しようとする課題】
【０００６】
車両の盗難が行なわれる場合、その盗難行為は、複数の行為の組み合わせによって構成される。例えば、まず、ドアロックを解除して車内に侵入可能な状態にする行為、次に車内に侵入する行為、イグニッションキーのボックスを開けて内部の配線を接続する行為、エンジンを始動する行為、などのように複数の行為が順に実行され（盗難行為が徐々に進行し）、最終的に車両の盗難が完了するのである。
【０００７】
さらに「ドアロックを解除する」という行為についても、「ピッキングによる不正開錠行為」や「窓ガラスを割って内側から手動でロックを解除する行為」のように代替可能な行為が存在する。このように代替可能な行為のうち、選択される行為が盗難の「手口」と呼ばれる。
【０００８】
そこで、かかる盗難を適切に防止するためには、盗難の手口やその進行状況に適応した対処を実施することが有効である。
【０００９】
しかしながら、従来の技術ではこのような盗難を実現する行為の種類（手口）や時系列（順序）は考慮されていなかった。具体的には、「車体に不審な振動があればエンジンをロックする」、「イグニッションボックスに異物が差し込まれた場合には警報する」のように、単一の検知結果に基づいて盗難抑止処理や警報処理を実行していたので、誤判定の可能性が大きくなるという問題点あった。そのため、強力な抑止処理を実行することが難しく、充分な盗難抑止効果が得られない場合があった。
【００１０】
さらに、車体の振動検知やドアに対するピッキング検知、イグニッションボックスの監視などを個別に実施すると、各センサにそれぞれ電源を供給することとなり、駐車時のバッテリー消費量が増大するという問題点があった。
【００１１】
この発明は、上述した従来技術による問題点を解消するためになされたものであり、盗難の手口やその進行状況に適応した対処を実行可能な盗難抑止装置を提供することを目的とする。
【課題を解決するための手段】
【００１２】
上述した課題を解決し、目的を達成するため、請求項１の発明に係る車両盗難抑止装置は、車両に対する盗難行為を抑止する車両盗難抑止装置であって、車両に対して実施された盗難行為を検知する検知手段と、前記検知手段による検知結果をもとに、前記盗難行為の手口および当該盗難行為の進行状態を判定する判定手段と、前記判定手段による判定結果に基づいて、次の盗難行為を検知するための前記検知手段の監視状態を制御および／または前記次の盗難行為を抑止する抑止処置手段の動作状態を制御する制御手段と、を備えたことを特徴とする。
【００１３】
この請求項１の発明によれば車両盗難抑止装置は、車両に対して実施された盗難行為を検知して盗難行為の手口や進行状態を判定し、判定結果に基づいて、監視状態や抑止処置手段の動作状態を遷移制御する。
【００１４】
また、請求項２の発明に係る車両盗難抑止装置は、請求項１の発明において、前記検知手段は、ドアの不正開錠行為を検知する不正開錠検知手段を含み、前記判定手段は前記不正開錠検知手段が不正開錠行為を検知した場合に車両への侵入準備が行われていると判定し、前記制御手段は当該判定結果に基づいてドアの多重施錠、ドア近傍の撮影、盗難行為者の車内への侵入を検知する侵入検知手段の起動のうち、少なくともいずれか一つを実行することを特徴とする。
【００１５】
この請求項２の発明によれば車両盗難抑止装置は、ドアの不正開錠行為を検知した場合に車両への侵入準備が行われていると判定し、ドアの多重施錠、ドア近傍の撮影、盗難行為者の車内への侵入を検知する侵入検知手段の起動のうち、少なくともいずれか一つを実行する。
【００１６】
また、請求項３の発明に係る車両盗難抑止装置は、請求項２の発明において、前記不正開錠検知手段は、ピッキングによる不正開錠を検知することを特徴とする。
【００１７】
この請求項３の発明によれば車両盗難抑止装置は、ピッキングによるドアの不正開錠行為を検知した場合に車両への侵入準備が行われていると判定し、ドアの多重施錠、ドア近傍の撮影、盗難行為者の車内への侵入を検知する侵入検知手段の起動のうち、少なくともいずれか一つを実行する。
【００１８】
また、請求項４の発明に係る車両盗難抑止装置は、請求項２または３の発明において、前記不正開錠検知手段は、ガラスの破壊による不正開錠を検知することを特徴とする。
【００１９】
この請求項４の発明によれば車両盗難抑止装置は、ガラスの破壊によるドアの不正開錠行為を検知した場合に車両への侵入準備が行われていると判定し、ドアの多重施錠、ドア近傍の撮影、盗難行為者の車内への侵入を検知する侵入検知手段の起動のうち、少なくともいずれか一つを実行する。
【００２０】
また、請求項５の発明に係る車両盗難抑止装置は、請求項２，３または４の発明において、前記制御手段は、前記侵入検知手段が盗難行為者の車内への侵入を検知した場合に、当該盗難行為者による走行準備を検知する走行準備検知手段、および／または走行準備を抑止する走行準備抑止手段を起動することを特徴とする。
【００２１】
この請求項５の発明によれば車両盗難抑止装置は、盗難行為者の車内への侵入を検知した場合に、盗難行為者による走行準備の検知や抑止を開始する。
【００２２】
また、請求項６の発明に係る車両盗難抑止装置は、請求項５の発明において、前記走行準備検知手段は、ハンドルポストカバーの開放行為を検知するハンドルポストカバーセンサおよび／または前記盗難行為者の運転席への着座を検知するシートセンサを含むことを特徴とする。
【００２３】
この請求項６の発明によれば車両盗難抑止装置は、盗難行為者の車内への侵入を検知した場合に、ハンドルポストカバーの開放行為を検知するハンドルポストカバーセンサや盗難行為者の運転席への着座を検知するシートセンサを起動する。
【００２４】
また、請求項７の発明に係る車両盗難抑止装置は、請求項５または６の発明において、前記走行準備抑止手段は、車載装置に対する電源供給を抑制する電源供給抑制手段、エンジンの始動を禁止するエンジン始動禁止手段、シフト操作を抑止するシフト操作抑止手段、前記盗難行為者の運転席への着座を抑止するシートロック手段、サイドブレーキの解除を抑止するサイドブレーキロック手段、車両の走行を抑止する走行抑止手段のうち、少なくともいずれか一つを含むことを特徴とする。
【００２５】
この請求項７の発明によれば車両盗難抑止装置は、盗難行為者の車内への侵入を検知した場合に、車載装置に対する電源供給を抑制する電源供給抑制手段、エンジンの始動を禁止するエンジン始動禁止手段、シフト操作を抑止するシフト操作抑止手段、前記盗難行為者の運転席への着座を抑止するシートロック手段、サイドブレーキの解除を抑止するサイドブレーキロック手段、車両の走行を抑止する走行抑止手段などを起動する。
【００２６】
また、請求項８の発明に係る車両盗難抑止装置は、請求項７の発明において、前記シフト操作抑止手段は、メインブレーキが操作中である場合に選択的にシフト操作を受け付けるシフト機構に対し、メインブレーキの操作が行われていないことを示す信号を仮想的に入力して前記シフト機構によるシフト操作の受け付けを阻害することを特徴とする。
【００２７】
この請求項８の発明によれば車両盗難抑止装置は、盗難行為者の車内への侵入を検知した場合に、メインブレーキが操作中である場合に選択的にシフト操作を受け付けるシフト機構に対し、メインブレーキの操作が行われていないことを示す信号を仮想的に入力して前記シフト機構によるシフト操作の受け付けを阻害する。
【００２８】
また、請求項９の発明に係る車両盗難抑止装置は、請求項７または８の発明において、前記走行抑止手段は、ハンドル操作を禁止するハンドルロック手段もしくはエンジンの動作を禁止するエンジン動作禁止手段のいずれかを少なくとも含むことを特徴とする。
【００２９】
この請求項９の発明によれば車両盗難抑止装置は、盗難行為者の車内への侵入を検知した場合に、ハンドル操作の禁止やエンジンの動作の禁止を実行して車両の走行を抑止する。
【００３０】
また、請求項１０の発明に係る車両盗難抑止装置は、請求項１〜９のいずれか一つの発明において、前記判定手段による判定結果に基づいて、所定の通知先に通知処理を実行する通知手段をさらに備えたことを特徴とする。
【００３１】
この請求項１０の発明によれば車両盗難抑止装置は、車両に対して実施された行為を検知して盗難行為の手口や進行状態を判定し、判定結果に基づいて、所定の通知先に通知処理を実行する。
【００３２】
また、請求項１１の発明に係る車両盗難抑止装置は、請求項１〜１０のいずれか一つの発明において、前記判定手段による判定結果に基づいて、盗難行為者に対する警告処理を実行する警告手段をさらに備えたことを特徴とする。
【００３３】
この請求項１１の発明によれば車両盗難抑止装置は、車両に対して実施された行為を検知して盗難行為の手口や進行状態を判定し、判定結果に基づいて盗難行為者に対する警告処理を実行する。
【００３４】
また、請求項１２の発明に係る車両盗難抑止装置は、請求項１〜１１のいずれか一つの発明において、盗難行為があったときの車両の位置、前記盗難行為の手口、前記抑止処置手段の動作状態を記憶する記憶手段と、前記記憶手段の記憶内容に基づいて当該車両の位置と盗難行為の手口とを車両外部に送信する送信手段と、さらに備えたことを特徴とする。
【００３５】
この請求項１２の発明によれば車両盗難抑止装置は、盗難行為があったときの車両の位置や盗難行為の手口、抑止処置手段の動作状態を記憶して車両外部に送信する。
【００３６】
また、請求項１３の発明に係る車両盗難抑止装置は、車両に対する盗難行為を抑止する車両盗難抑止装置であって、ハンドルポストカバーの開放行為を検知するハンドルポストカバーセンサと、前記ハンドルポストカバーセンサがハンドルポストカバーの開放行為を検知した場合に、前記車両の盗難行為を抑止する抑止処置手段と、を備えたことを特徴とする。
【００３７】
この請求項１３の発明によれば車両盗難抑止装置は、ハンドルポストカバーセンサを設け、このハンドルポストカバーセンサがハンドルポストカバーの開放行為を検知した場合に、車両の盗難行為を抑止する。
【００３８】
また、請求項１４の発明に係る車両盗難抑止装置は、請求項１３の発明において、前記抑止処置手段は、車載装置に対する電源供給を抑制する電源供給抑制手段を含むことを特徴とする。
【００３９】
この請求項１４の発明によれば車両盗難抑止装置は、ハンドルポストカバーセンサがハンドルポストカバーの開放行為を検知した場合に、車載装置に対する電源供給を抑制することで、車両盗難を抑止する。
【００４０】
また、請求項１５の発明に係る車両盗難抑止装置は、請求項１３または１４の発明において、前記抑止処置手段は、エンジンの動作を抑制するエンジン動作抑制手段を含むことを特徴とする。
【００４１】
この請求項１５の発明によれば車両盗難抑止装置は、ハンドルポストカバーセンサがハンドルポストカバーの開放行為を検知した場合に、エンジンの動作を抑制することで、車両盗難を抑止する。
【００４２】
また、請求項１６の発明に係る車両盗難抑止装置は、請求項１３，１４または１５の発明において、前記抑止処置手段は、サイドブレーキの解除を抑止するサイドブレーキロック手段を含むことを特徴とする。
【００４３】
この請求項１６の発明によれば車両盗難抑止装置は、ハンドルポストカバーセンサがハンドルポストカバーの開放行為を検知した場合に、サイドブレーキをロックすることで、車両盗難を抑止する。
【００４４】
また、請求項１７の発明に係る車両盗難抑止装置は、請求項１３〜１６のいずれか一つの発明において、前記抑止処置手段は、メインブレーキを駆動して車両の走行を阻害するメインブレーキロック手段を含むことを特徴とする。
【００４５】
この請求項１７の発明によれば車両盗難抑止装置は、ハンドルポストカバーセンサがハンドルポストカバーの開放行為を検知した場合に、メインブレーキをかけることで、車両盗難を抑止する。
【００４６】
また、請求項１８の発明に係る車両盗難抑止装置は、請求項１３〜１７のいずれか一つの発明において、前記抑止処置手段は、シフト操作を抑止するシフト操作抑止手段を含むことを特徴とする。
【００４７】
この請求項１８の発明によれば車両盗難抑止装置は、ハンドルポストカバーセンサがハンドルポストカバーの開放行為を検知した場合に、シフト操作を抑止することで、車両盗難を抑止する。
【００４８】
また、請求項１９の発明に係る車両盗難抑止装置は、請求項１３〜１８のいずれか一つの発明において、前記抑止処置手段は、ハンドル操作を禁止するハンドルロック手段を含むことを特徴とする。
【００４９】
この請求項１９の発明によれば車両盗難抑止装置は、ハンドルポストカバーセンサがハンドルポストカバーの開放行為を検知した場合に、ハンドル操作を禁止することで、車両盗難を抑止する。
【発明の効果】
【００５０】
請求項１の発明によれば車両盗難抑止装置は、車両に対して実施された盗難行為を検知して盗難行為の手口や進行状態を判定し、判定結果に基づいて、監視状態や抑止処置手段の動作状態を遷移制御するので、盗難の手口やその進行状況に適応した対処を実行する盗難抑止装置を得ることができるという効果を奏する。
【００５１】
また、請求項２の発明によれば車両盗難抑止装置は、ドアの不正開錠行為を検知した場合に車両への侵入準備が行われていると判定し、ドアの多重施錠、ドア近傍の撮影、盗難行為者の車内への侵入を検知する侵入検知手段の起動のうち、少なくともいずれか一つを実行するので、侵入の準備を検知して侵入行為を防止する盗難抑止装置を得ることができるという効果を奏する。
【００５２】
また、請求項３の発明によれば車両盗難抑止装置は、ピッキングによるドアの不正開錠行為を検知した場合に車両への侵入準備が行われていると判定し、ドアの多重施錠、ドア近傍の撮影、盗難行為者の車内への侵入を検知する侵入検知手段の起動のうち、少なくともいずれか一つを実行するので、ピッキングを検知して侵入行為を防止する盗難抑止装置を得ることができるという効果を奏する。
【００５３】
また、請求項４の発明によれば車両盗難抑止装置は、ガラスの破壊によるドアの不正開錠行為を検知した場合に車両への侵入準備が行われていると判定し、ドアの多重施錠、ドア近傍の撮影、盗難行為者の車内への侵入を検知する侵入検知手段の起動のうち、少なくともいずれか一つを実行するので、ガラスの破壊によるドアの不正開錠を検知して侵入行為を防止する盗難抑止装置を得ることができるという効果を奏する。
【００５４】
また、請求項５の発明によれば車両盗難抑止装置は、盗難行為者の車内への侵入を検知した場合に、盗難行為者による走行準備の検知や抑止を開始するので、消費電力を低減した盗難抑止装置を得ることができるという効果を奏する。
【００５５】
また、請求項６の発明によれば車両盗難抑止装置は、盗難行為者の車内への侵入を検知した場合に、ハンドルポストカバーの開放行為を検知するハンドルポストカバーセンサや盗難行為者の運転席への着座を検知するシートセンサを起動するので、侵入を検知した時点で走行準備を検知する適切なセンサを選択的に起動する盗難抑止装置を得ることができるという効果を奏する。
【００５６】
また、請求項７の発明によれば車両盗難抑止装置は、盗難行為者の車内への侵入を検知した場合に、車載装置に対する電源供給を抑制する電源供給抑制手段、エンジンの始動を禁止するエンジン始動禁止手段、シフト操作を抑止するシフト操作抑止手段、前記盗難行為者の運転席への着座を抑止するシートロック手段、サイドブレーキの解除を抑止するサイドブレーキロック手段、車両の走行を抑止する走行抑止手段などを起動するので、消費電力を低減しつつ走行準備行為を効果的に抑止する盗難抑止装置を得ることができるという効果を奏する。
【００５７】
また、請求項８の発明によれば車両盗難抑止装置は、盗難行為者の車内への侵入を検知した場合に、メインブレーキが操作中である場合に選択的にシフト操作を受け付けるシフト機構に対し、メインブレーキの操作が行われていないことを示す信号を仮想的に入力して前記シフト機構によるシフト操作の受け付けを阻害するので、消費電力を低減しつつ、侵入者の走行準備を簡易に抑止する盗難抑止装置を得ることができるという効果を奏する。
【００５８】
また、請求項９の発明によれば車両盗難抑止装置は、盗難行為者の車内への侵入を検知した場合に、ハンドル操作の禁止やエンジンの動作の禁止を実行して車両の走行を抑止するので、盗難行為の完了を適切に阻害可能な盗難抑止装置を得ることができるという効果を奏する。
【００５９】
また、請求項１０の発明によれば車両盗難抑止装置は、車両に対して実施された盗難行為を検知して盗難行為の手口や進行状態を判定し、判定結果に基づいて、所定の通知先に通知処理を実行するので、盗難の手口やその進行状況を通知する盗難抑止装置を得ることができるという効果を奏する。
【００６０】
また、請求項１１の発明によれば車両盗難抑止装置は、車両に対して実施された盗難行為を検知して盗難行為の手口や進行状態を判定し、判定結果に基づいて盗難行為者に対する警告処理を実行するので、盗難の手口やその進行状況に適応した警告によって盗難行為者撃退する盗難抑止装置を得ることができるという効果を奏する。
【００６１】
また、請求項１２の発明によれば車両盗難抑止装置は、ハンドルポストカバーセンサを設け、このハンドルポストカバーセンサがハンドルポストカバーの開放行為を検知した場合に、車両の盗難行為を抑止するので、簡易な構成で車両の盗難を抑止する盗難抑止装置を得ることができるという効果を奏する。
【００６２】
また、請求項１３の発明によれば車両盗難抑止装置は、盗難行為があったときの車両の位置や盗難行為の手口、抑止処置手段の動作状態を記憶して車両外部に送信するので、発生した盗難に関する詳細な連絡を自動的に実行し、もって盗難を抑止する盗難抑止装置を得ることができるという効果を奏する。
【００６３】
また、請求項１４の発明によれば車両盗難抑止装置は、ハンドルポストカバーセンサがハンドルポストカバーの開放行為を検知した場合に、車載装置に対する電源供給を抑制するので、盗難行為の発生を確実に検知し、エンジンの始動を禁止して盗難を抑止する盗難抑止装置を得ることができるという効果を奏する。
【００６４】
また、請求項１５の発明によれば車両盗難抑止装置は、ハンドルポストカバーセンサがハンドルポストカバーの開放行為を検知した場合に、エンジンの動作を抑制するので、盗難行為の発生を確実に検知し、エンジンの動作を抑制して盗難を抑止する盗難抑止装置を得ることができるという効果を奏する。
【００６５】
また、請求項１６の発明によれば車両盗難抑止装置は、ハンドルポストカバーセンサがハンドルポストカバーの開放行為を検知した場合に、サイドブレーキをロックすることで、車両盗難を抑止するので、盗難行為の発生を確実に検知し、サイドブレーキの解除を禁止して盗難を抑止する盗難抑止装置を得ることができるという効果を奏する。
【００６６】
また、請求項１７の発明によれば車両盗難抑止装置は、ハンドルポストカバーセンサがハンドルポストカバーの開放行為を検知した場合に、メインブレーキをかけるので、盗難行為の発生を確実に検知し、メインブレーキによって盗難を抑止する盗難抑止装置を得ることができるという効果を奏する。
【００６７】
また、請求項１８の発明によれば車両盗難抑止装置は、ハンドルポストカバーセンサがハンドルポストカバーの開放行為を検知した場合に、シフト操作を抑止するので、盗難行為の発生を確実に検知し、シフト操作を禁止して盗難を抑止する盗難抑止装置を得ることができるという効果を奏する。
【００６８】
また、請求項１９の発明によれば車両盗難抑止装置は、ハンドルポストカバーセンサがハンドルポストカバーの開放行為を検知した場合に、ハンドル操作を禁止することで、車両盗難を抑止するので、盗難行為の発生を確実に検知し、ハンドル操作を禁止して盗難を抑止する盗難抑止装置を得ることができるという効果を奏する。
【発明を実施するための最良の形態】
【００６９】
以下に添付図面を参照して、この発明に係る盗難抑止装置の好適な実施例を詳細に説明する。
【実施例】
【００７０】
図１は、本発明の実施例である盗難抑止装置１の概要構成を示す概要構成図である。同図に示すように、盗難抑止装置１は、ピッキングセンサ１１、ガラス割れセンサ１２、ドアロックセンサ１３、ドアセンサ１４、ハンドルポストカバーセンサ１５、キーシリンダーセンサ１６、シートセンサ１７、速度センサ１８、電子制御燃料噴射装置２１、シフト機構２２、サイドブレーキ機構２３、通信装置３１、警告装置３２、カメラ３３、ドアロック機構３４、電源管理装置３５、ハンドルロック機構３６、メインブレーキ機構３７およびシートロック機構３８と接続する。
【００７１】
ピッキングセンサ１１、ガラス割れセンサ１２、ドアロックセンサ１３、ドアセンサ１４、ハンドルポストカバーセンサ１５、キーシリンダーセンサ１６、シートセンサ１７、速度センサ１８は、自車両に対して実施された行為を検知する検知手段である。
【００７２】
具体的には、ピッキングセンサ１１は、車両のドアに対するピッキング（正規の鍵によらない開錠）を検知する検知手段であり、ガラス割れセンサ１２は、車体の窓ガラスが割られたことを検知する検知手段である。
【００７３】
また、ドアロックセンサ１３は、ドアのロック状態を検知する検知手段であり、ドアセンサ１１は、ドアの開閉状態を検知する検知手段である。さらに、ハンドルポストカバーセンサ１５は、イグニッション用のキーシリンダーを取り外す際に開放される、ハンドルポストに設けられたカバーの開放を検知する検知手段である。
【００７４】
そして、キーシリンダーセンサ１６は、イグニッション用のキーシリンダーが取り外されたことを検知する検知手段である。また、シートセンサ１７は、車両の座席、特に運転席の着座状態を検知する検知手段であり、速度センサ１８は、車輪速などを取得して車両が走行していることを検知する検知手段である。
【００７５】
電子制御燃料噴射装置２１、シフト機構２２およびサイドブレーキ機構２３は、検知手段であると共に抑止処置手段として機能する。具体的には、シフト機構２２は、シフトの操作状態を検知するとともに、シフトをロックする（操作を受け付けない状態とする）ことができる。同様に、サイドブレーキ機構２３は、サイドブレーキの操作状態を検知するとともに、サイドブレーキをロックする（サイドブレーキの解除を受け付けない状態とする）ことができる。
【００７６】
ドアロック機構３４、電源管理装置３５、ハンドルロック機構３６、メインブレーキ機構３７およびシートロック機構３８は盗難行為の継続を抑止する抑止処置手段である。具体的には、ドアロック機構３４は、通常用の施錠機構に加えて盗難行為の検出時に使用する施錠機構を有して多重ロックが可能となっており、通常用の施錠機構が開錠された場合にもドアの開放を防ぎ、車内への侵入を防止することができる。
【００７７】
また、電源管理部３５は、エンジンを始動するスタータなどへの電源供給を禁止することで、エンジンの不正始動を防ぐことができる。さらに、ハンドルロック機構３６は、ハンドル操作を禁止することで、車両の運転を防止することができる。
【００７８】
同様に、メインブレーキ機構３７はブレーキを強制的にオン状態にすることで、車両の走行を阻害することができる。また、シートロック機構３８は、運転席の状態の操作、具体的にはシート位置を最も前方に移動し、背もたれを前に倒して固定する、などの状態にして運転席への着座を阻害し、運転を防止することができる。
【００７９】
通信装置３１は、電話回線網やインターネットなどのネットワークを介して所定の連絡先と通信する手段であり、盗難行為を検出した場合にその手口や進行状態をユーザや警備会社などに通知する通知処置手段として機能する。なお、この通信装置３１に、ユーザが所持する端末と直接に通信する機能を持たせても良い。
【００８０】
警告装置３２は、盗難行為を検出した場合にその盗難行為者に対して警告を行い、撃退する手段であり、盗難行為の継続を抑止する効果と周辺に異常の発生を通知する効果を有する。この警告手段としては具体的には、ホーン、ヘッドライト、警告音声を出力するスピーカなどを用いることができる。
【００８１】
カメラ３３は、車両の近傍や車内を撮影する撮影手段である。このカメラ３３による撮影結果は、盗難行為の状態をユーザなどに通知する際に使用することができる。また、その他、画像処理を施すことで盗難行為者の行動の検知に用いてもよいし、撮影の実行を盗難行為者に通知することで盗難行為の継続を抑止する抑止手段として使用してもよい。
【００８２】
盗難抑止装置１は、その内部に盗難状態判定部２、監視動作選択部３、処置選択部４、および記憶部５を有する。盗難状態判定部２は、検知手段の出力をもとに、盗難行為の手口およびその進行状態（盗難状態）を判定する判定手段である。そして、記憶部４は、盗難状態と、実行すべき監視や処置とを関連付けた監視・処置テーブル５ａを記憶する。
【００８３】
監視動作選択部３は、盗難状態判定部２による判定結果に基づいて監視・処置テーブル５ａを参照し、検知手段の状態を遷移制御する処理を行う。また、処置選択部４は、盗難状態判定部２による判定結果に基づいて監視・処置テーブル５ａを参照し、抑止処置を選択して実行する。
【００８４】
つぎに、盗難状態判定部２による盗難状態の判定について詳細に説明する。車両の盗難行為は、その開始から完了までに複数の行為を順に実行する必要がある。この盗難行為を成立させる為の複数の行為は、大別すると図２に示すように「侵入準備行為」、「侵入行為」、「走行準備行為」、「走行準備行為」、「走行行為」に分類することができ、同図に示した順に行われる。
【００８５】
「侵入準備行為」は、ドアロックの解除などによって、車内への侵入が可能な状態にする行為である。そして、侵入準備行為か完了した後に、盗難行為者が車内に侵入する「侵入行為」が発生する。
【００８６】
その後、侵入した盗難行為者は、ブレーキを解除する、イグニッションキーのボックスを開けて内部の配線を接続し、エンジンを始動する、など行為によって車両を走行可能な状態にして、車両を走行させて逃走する。
【００８７】
この各行為において、車両に対して行われる具体的な行為を図３に示す。同図に示すように、ドアに対してピッキング（Ｓ１１）が行われた場合、このピッキングが成功すると、侵入準備行為が完了する。
【００８８】
また、窓ガラスが破壊（Ｓ１２）されたならば、その後、割れた窓から操作することでドアロック解除（Ｓ１３）が行われ、侵入準備行為が完了することとなる。なお、ピッキング（Ｓ１１）を試みて失敗した場合に、手口を変えて窓ガラスを割る（ピッキング（Ｓ１１）から窓ガラスの破壊（Ｓ１２）に移行する）ことも考えられる。
【００８９】
侵入行為では、具体的にはドアの開放（Ｓ２１）が行われた後に、盗難行為者の乗車（Ｓ２２）が行われ、侵入行為が完了する。
【００９０】
走行準備行為では、エンジンをかけて自走する手口（Ｓ３１）、ブレーキやハンドルのロックを解除して、牽引などによって運ぶ手口（Ｓ３２）などがあり、手口によって具体的な準備の内容が異なる。
【００９１】
自走する手口（Ｓ３１）では、電源を入れてエンジンを始動し、シフトをパーキングからドライブにする一連の処理（Ｓ３１ａ）と、運転席への着座（Ｓ３１ｂ）、さらにサイドブレーキ解除（Ｓ３１ｃ）を行なう必要がある。
【００９２】
ここで、運転席への着座（Ｓ３１ｂ）とサイドブレーキ解除（Ｓ３１ｃ）の実行順序は問わないが、「電源投入」、「エンジン始動」、「シフトチェンジ（Ｐ→Ｄ）」はこの順序で行なう必要がある。これは、エンジンを始動するスタータは、その動作時に電源が供給されている（イグニッションをオンにする）必要があり、かつエンジン始動時にはシフトをパーキング（もしくはニュートラル）の状態とする必要があるからである。
【００９３】
一方、牽引などで運ぶ手口（Ｓ３２）では、電源を入れてシフトをパーキングからニュートラルにする処理（Ｓ３２ａ）と、サイドブレーキ解除（Ｓ３２ｂ）を行なう必要がある。処理（Ｓ３２）とサイドブレーキ解除（Ｓ３２ｂ）との順序は問わないが、「電源投入」と「シフトチェンジ（Ｐ→Ｎ）」はこの順序で行なう必要がある。
【００９４】
ここで、処理３１ａおよび処理３２ａにおける「電源投入」は、正規のイグニッションキーによる操作に代えて、内部配線の直結やキーシリンダーの交換によって行われるものであり、そのいずれの手口によるものであっても、キーシリンダーを取り外す必要が生じる。そして、このキーシリンダーは、ハンドルを固定するハンドルポストに取り付けられているので、ハンドルポストのカバーを開けなければキーシリンダーを外すことはできない。
【００９５】
したがって、「電源投入」時には、図４に示すように、「ハンドルポストカバーを開ける（Ｓ３０１）」、「キーシリンダーを外す（Ｓ３０２）」、「イグニッションをオンにする（Ｓ３０３）」の処理を順に実行する必要がある。
【００９６】
走行準備行為が全て実行された後、盗難行為者は、車両を運転（Ｓ４１）し、車両を走行させて逃走を行う。
【００９７】
盗難抑止装置１では、このような各行為を検知し、その行為が示す盗難行為の手口や進行状況（「侵入準備行為」、「侵入行為」、「走行準備行為」、「走行準備行為」、「走行行為」のうち、どの段階の行為が行われたか）に適応した対処を実行する。すなわち、ある行為を検出した場合にその行為が盗難行為を成立させるための一行為であると仮定し、つぎの行為を予測する。そして、次の行為を検知するための検知手段の起動や、次の行為を抑止するための抑止手段を起動する。
【００９８】
具体的には、盗難の発生前には、侵入準備行為（具体的には、ピッキングやガラスの破壊）を監視し、侵入準備行為の発生を検知した場合には、その手口に応じて次の行為の発生を検知する検知手段や、次の行為を抑止する抑止手段を起動して盗難の進行を防ぐ。
【００９９】
例えば、ピッキング（Ｓ１１）を検知した場合には、次に予測される行為であるドア開放（Ｓ２１）を検知するためにドアセンサ１４を起動するとともに、ピッキング（Ｓ１１）が成功してもドアが開かないようにドアロック機構２４を制御してダブルロックを実行する。即ち、ピッキングの次に予測される行為であるドアの開放を抑止する。
【０１００】
同様に、窓ガラスの破壊（Ｓ１２）を検知した場合には、次の行為であるドアロック解除（Ｓ１３）を検知すべくドアロックセンサ１３を起動する。そして、ドアロックセンサ１３がドアロック開放を検知した場合には、次の行為であるドア開放（Ｓ２１）を検知するためにドアセンサ１４を起動するとともに、ドアが開かないようにドアロック機構２４を制御して多重ロックを実行する。
【０１０１】
この盗難状態と実行すべき監視や処置とを関連付けた監視・処置テーブル５ａの具体例を図５に示す。同図では、ピッキングを検知するセンサとしてピッキングセンサ１１を指定しており、ピッキングセンサ１１がピッキングを検知した場合の処置として「警報」、「通知」、「撮影開始」、「多重ロック起動」、「ドアセンサ起動」を指定している。
【０１０２】
また、窓ガラスの破壊を検知するセンサとしてガラス割れセンサ１２を指定しており、ガラス割れセンサ１２が窓ガラスの破壊を検知した場合の処置として「警報」、「通知」、「撮影開始」、「ドアロックセンサ起動」を指定している。
【０１０３】
同様に、ドアロック解除を検知するセンサとしてドアロックセンサ１３を指定しており、ドアロックセンサ１３がドアロック解除を検知した場合の処置として「ドアセンサ起動」を指定している。
【０１０４】
さらに、ドア開放を検知するセンサとしてドアセンサ１４を指定しており、ドアセンサ１４がドア開放を検知した場合の処置として「警報」、「通知」、「ハンドルポストカバーセンサ起動」、「シートセンサ起動」、「サイドブレーキのロック」を指定している。
【０１０５】
また、電源投入については、まず、ハンドルポストカバーセンサ１５によってハンドルポストカバーの開放を検知し、検知された場合にキーシリンダーセンサ１６を起動してキーシリンダーの取り外しを検知し、検知された場合にはイグニッションへの電源供給を抑制することとしている。そして、電源管理装置３５によってイグニッションがオンになったことが検知された場合には、スタータへの電力供給を選択的に抑制してエンジンの始動を禁止するとともに、シフト制御を禁止することとしている。
【０１０６】
ここで、シフト制御の禁止方法の具体例について説明する。シフト機構は、駐車中には車両の急発進を防止するため、メインブレーキが操作中である場合に選択的にシフト操作を受け付ける構成となっていることが一般的である。
【０１０７】
そこで、メインブレーキが掛かっている状態であっても、メインブレーキの操作が行われていないことを示す信号を仮想的に入力する（もくしはメインブレーキが操作中であることを示す信号の入力を阻害する）ことで、シフト操作の受け付けを禁止することができる。
【０１０８】
つぎに、エンジン始動は、電子制御燃料噴射装置によって検知することができる。ここで、エンジンの始動を検知した時点で盗難行為者が運転席に着座していなければ、シートロックを実行してもよい。
【０１０９】
また、シフトチェンジの状態は、シフト機構２２によって検知することができ、着座状態は、シートセンサ１７によって検知する。さらに、サイドブレーキ２３の操作状態は、サイドブレーキ機構２３から取得することができ、車両が走行しているか否かは、速度センサ１８によって検知することができる。
【０１１０】
走行準備行為のうち順序が一定ではないもの（サイドブレーキ解除など）については、走行準備行為の抑止を侵入行為の時点で行うことが好ましい。また、走行行為の抑止については、複数の走行準備行為のうち、いずれか一つが実行された場合や、所定の数が実行された場合、もしくは特定の組み合わせが成立した場合に実行することとすればよい。
【０１１１】
走行を抑止する処置としては、ハンドルの操作を禁止するハンドルロックや、メインブレーキによる制動の強制実行などを用いることができる。また、エンジンを始動して自走している場合には、電子制御燃料噴射装置の停止を走行の抑止処置として採用してもよい。
【０１１２】
さらに、「警告」や「通知」は、侵入準備行為の検出時や侵入行為の検出時に限らず、走行準備行為の検出時や走行の検出時にも実行することができる。また、「警告」や「通知」の方法や内容を、盗難状態に応じて変更するようにしてもよい。
【０１１３】
監視動作選択部３および処置選択部４は、この監視・処置テーブル５ａを参照し、検知手段や抑止処置手段の動作を制御する。そのため、例えば侵入準備行為の発生中は、走行準備行為の検知に用いる検知手段をオフするなど、状況に適応した検知手段や抑止処置手段を選択的に起動し、バッテリー消費量を抑制することができる。
【０１１４】
また、実際に車両盗難行為（ピッキング等）があった場合、自車の車種、自車の位置、盗難行為があった時間、その盗難行為の手口、及びその手口に対する抑止処置（ダブルロックや警報など）を順次時系列的に記憶手段（例えば記憶部５やナビゲーション装置のハードディスクドライブなど）に記憶する。
【０１１５】
そして、所定量のデータが溜まったならば、通信装置３１を用いて所定の通信センタにそのデータを逐次送信する。この通信センタでは、車両位置や時間、手口、抑止内容を記録し、所定地域における犯行状況等を蓄積する。蓄積の結果は、車両に対する警戒レベル等の調節や、犯罪の傾向分析に利用することが可能である。尚、少なくとも、車両の位置、時間、盗難行為の手口を送信するだけでも良い。
【０１１６】
また、通信センタと共に、ユーザの携帯電話等に送信する。ユーザの携帯電話には、盗難行為があった位置に対して最寄の警察の電話番号を自車のナビゲーション装置から検索し、その検索結果である電話番号を送信する。これによりユーザの携帯電話にはその盗難行為があった最寄の警察の電話番号が表示されるので、ユーザはこの電話番号を見て最寄の警察に電話することができる。以上により警察を現場にいち早く急行させることができる。
【０１１７】
上述してきたように、本実施例にかかる盗難防止装置１は、各種センサの出力に基づいて盗難行為の手口および進行状態を判定し、判定結果に基づいて状況に対応した監視状態および処置状態を遷移制御する。
【０１１８】
そのため、状況を正確に判定して適切な対処を実行し、高い盗難抑止効果を得ることができる。また、状況に対応した監視状態の実現に必要な監視手段にのみ選択的に電源を供給することで、電力消費を抑制することができる。
【０１１９】
さらに、盗難行為の途中で盗難行為者を撃退し、盗難行為の継続の抑止が完了した場合には、以降の抑止処置の実行が不要となるので、過度の抑止処置の実行を控えることかできる。
【０１２０】
また、不正なイグニッション接続に不可欠なハンドルポストカバーの開放を検知することによって、不正なイグニッション接続を未然に防止し、もって車両盗難を抑止することができる。
【産業上の利用可能性】
【０１２１】
以上のように、本発明にかかる車両盗難抑止装置は、車両の盗難抑止に有用であり、特に、盗難抑止効果の向上および消費電力の低減に適している。
【図面の簡単な説明】
【０１２２】
【図１】本発明の実施例に盗難抑止装置の概要構成を示す概要構成図である。
【図２】盗難行為の進行について説明する説明図である。
【図３】盗難時に車両に対して行われる具体的な行為を説明する説明図である。
【図４】図３に示した電源投入について詳細に説明する説明図である。
【図５】図１に示した監視・処置テーブルの具体例を説明する説明図である。
【符号の説明】
【０１２３】
１    盗難抑止装置
２    盗難状況判定部
３    監視状態選択部
４    処置選択部
５    記憶部
５ａ  監視・処置テーブル
１１    ピッキングセンサ
１２    ガラス割れセンサ
１３    ドアロックセンサ
１４    ドアセンサ
１５    ハンドルポストカバーセンサ
１６    キーシリンダーセンサ
１７    シートセンサ
１８    速度センサ
２１    電子制御燃料噴射装置
２２    シフト機構
２３    サイドブレーキ機構
３１    通信装置
３２    警告装置
３３    カメラ
３４    ドアロック機構
３５    電源管理装置
３６    ハンドルロック機構
３７    メインブレーキ機構
３８    シートロック機構
【図１】
2006256361.tif 000003
【図２】
2006256361.tif 000004
【図３】
2006256361.tif 000005
【図４】
2006256361.tif 000006
【図５】
2006256361.tif 000007